(57)【要約】      （修正有）【課題】故人との確かな絆を感じられ、お供えが自由にでき、保守・管理者側の負担を軽減できる納骨壇を提供する。【解決手段】複数の納骨庫２を有するロッカー式の納骨壇１であって、各納骨庫２は個別に扉３を備え、扉３の中央部に画像表示器６が取り付けられ、画像表示器６には、故人に関する画像、あるいは仏像や仏画を含む宗教的な画像が表示される。参拝の都度扉３を開ける必要がないように、画像表示器６の電源スイッチ７は扉３の外側にある。また、扉３の手前には供物などを供えるためのスペースが設けられている。【選択図】図１
0003163123.tif 000002
【実用新案登録請求の範囲】
【請求項１】
複数の納骨庫を有するロッカー式の納骨壇であって、
各納骨庫は、中央部に画像表示器が取り付けられた扉を備え、前記画像表示器には故人に関する画像を含む任意の画像が表示されることを特徴とする納骨壇。
【請求項２】
前記画像表示器に給電するための電源スイッチが前記扉の外側に取り付けられていることを特徴とする請求項１に記載の納骨壇。
【請求項３】
納骨庫の扉の手前に、供物などを備えるスペースがあることを特徴とする請求項１または２のいずれかに記載の納骨壇。
【考案の詳細な説明】
【技術分野】
【０００１】
本考案は、複数の納骨庫を有し、各納骨庫の扉には画像表示器が設けられ、扉の手前にはお供えができるスペースのある納骨壇に関するものである。
【背景技術】
【０００２】
少子化や核家族化、さらに経済的な理由から、納骨堂などの共同墓の利用者が増加の一途である。共同墓の態様の一つにロッカー式の納骨壇がある。納骨壇とは、骨壷などの遺骨を収納した容器を収容するための設備であり、この納骨壇に関する発明も、特許文献１をはじめ複数提案されている。
【先行技術文献】
【特許文献】
【０００３】
【特許文献１】特開平７−４１１７号公報
【考案の概要】
【考案が解決しようとする課題】
【０００４】
しかし、従来のロッカー式の納骨壇に対しては、「味気ない」、「お供えができない」、「故人との絆が感じられない」といった声が多く寄せられていた。また、参拝者の中には果物や生菓子などを備えたまま、扉を閉めて帰ってしまう人もいるため、お供え物が腐ったりカビが生じたりして悪臭を放つことも珍しくなかった。そのため、納骨壇の保守・管理者側はこれらの腐ったお供え物の除去や清掃などを日常的に強いられていた。
さらに、特許文献１に記載のように、扉に家名、家紋などを彫刻してある納骨堂もあるが、新たに墓地の購入などで利用をとりやめる檀家も少なくないので、利用者の変更に伴う保守・管理も手間のかかるものであった。
【０００５】
そこで、本考案は、以上の問題点に鑑み、故人との確かな絆を感じられ、お供えが自由にでき、保守・管理者側の負担を軽減できる納骨壇の提供を課題とした。
【課題を解決するための手段】
【０００６】
上記の目的を達するために、請求項１に記載の考案は、
複数の納骨庫を有するロッカー式の納骨壇であって、各納骨庫は中央部に画像表示器が取り付けられた扉を備え、前記画像表示器には、故人に関する画像（例えば、戒名や遺影など）を含む任意の画像が表示されることを特徴とする。
戒名や遺影などの画像はもちろんのこと、故人の在りし日の写真、故人の残した思い出の品々（絵、文、趣味で作った作品など）の画像も表示させれば、故人を思い出させるものとなり、故人としっかり向き合っているという実感が得られる。これにより、従来の納骨壇に対して多かった「味気ない」という不満や「義務的なお参り」という後ろめたさが解消されるのである。
なお、画像表示器に表示される画像データは通常遺族によって準備される。
【０００７】
上記の目的を達するために、前記画像表示器に給電するための電源スイッチが前記扉の外側に取り付けられているとよい。
これにより、参拝者が訪れる都度、扉の開閉に納骨壇運営側の職員が立ちあう必要がなく、扉の鍵を参拝者に渡す必要もない。
【０００８】
上記の目的を達するために、納骨庫の扉の手前に、供物などを備えるスペースがあるとよい。
これにより、扉の外側にお供えができるので、納骨庫内にカビや悪臭が発生するおそれがなく、参拝者は気兼ねせずにお供えができる。管理者側も、それに伴う作業から解放される。
【考案の効果】
【０００９】
参拝者は、普通のお墓と同じようにお花や故人の好物をお供えすることができる。また故人ゆかりの画像を通して、故人とのつながりを一層実感することができる。
管理者側も、管理・運営のための仕事を軽減することができる。
【図面の簡単な説明】
【００１０】
【図１】本実施形態の納骨壇の正面図である。
【図２】本実施形態の納骨壇の部分斜視図である。
【図３】本実施形態の納骨壇のＡ−Ａ線断面図である。
【考案を実施するための形態】
【００１１】
図面を参照しながら、本考案の一実施の形態について説明する。
【００１２】
納骨壇１は全体としてアルミニウム板によって成形されており、複数の納骨庫２と、当該納骨庫２を開閉する扉３がそれぞれ設けられている。図１に示すように、本実施形態の納骨壇１は、所定間隔を隔てて設けられた２枚の仕切板４と、仕切板４間に所定間隔で設けられた３枚の棚板５とによって１２個の納骨庫２を構成している。ただし、これは例示であって、仕切板４および棚板５の枚数、つまり納骨庫２の個数に制限はない。また、複数基の納骨壇１を横方向に隣接並置させることが可能なことも言うまでもない。
【００１３】
各納骨庫２の扉３は片開きであり、扉３のほぼ中央部には画像表示器４が，隅には画像表示器６に給電するための電源スイッチ７が、画像表示器６の下方などの適当な位置に名札入れ８が、それぞれ取り付けられている。
画像表示器６としては、本考案の出願時点ではデジタルフォトフレームと呼ばれる製品が適当である。画像表示器６の電源コード、電源アダプタなどは扉３の裏側或いは納骨壇１の土台部分などに設けられるが、説明および図示は省略する。
【００１４】
図２は、納骨壇１の最上段の３つの納骨庫２Ａ，２Ｂ，２Ｃを示す斜視図である。納骨庫２Ａ，２Ｂは扉３が閉じられており、納骨庫２Ｃは扉３が開いている。なお、図中納骨庫２Ｃは扉３を省略して示してある。図３の断面図から明らかなように、各納骨庫２は、お供えのためのスペース１０と遺骨収納容器を安置するスペース１１とが扉３によって仕切られている。遺骨収納容器を安置するスペース１１の奥行きを十分にとれば、複数の故人の遺骨を安置することができる。これは、設計時に任意に決めればよい。
【００１５】
納骨庫２Ａの表示画面９には家名が表示されている。参拝に訪れた納骨庫２Ａの利用者は、名札入れ８の名札を参照して自分の家の納骨庫であることを確認すると、電源スイッチ７をＯＮにする。画像表示器６に給電が開始されると、画像表示器６と接続しているＵＳＢメモリなどの記憶媒体（図示せず）から画像データが自動的に読み出されて表示される。
納骨庫の利用者は、利用契約締結時などに画像データを格納した記憶媒体を納骨壇１の運営管理者に預ける。この記憶媒体は、扉３の裏側にある画像表示器６のコネクタ（図示せず）に挿した状態にしておく。画像データの追加や変更が必要になったときは、扉３をあけて記憶媒体を取り出す必要があるが、通常は挿したままでよい。
【００１６】
本考案の特徴の一つは、納骨庫の正面に画像表示器６を配置する点であるが、この意義は次のとおりである。すなわち、現在は納骨壇を利用していても墓地の購入などの理由により利用を中止したり、逆に新規に利用を開始したりして、納骨壇の利用者は変わっていくと想定される。そのたびに家名や戒名など変えなければならないが、本考案では画像表示器を利用するので、画像データを格納した記憶媒体の変更だけで、戒名や家名などの変更に対応できる。それらが納骨庫に直接印字されていれば、その変更は容易ではない。
故人にゆかりのある画像、例えば在りし日の故人の写真や、故人が好んでいた花やペットの画像など種々の画像を表示できる。要は、故人を偲ぶにふさわしいと思う画像データを表示させればよく、納骨壇は味気ないといった先入観を払拭できる。納骨壇に限らず、墓地などの納骨施設一般に対して暗いイメージがもたれがちであるが、本考案の納骨壇であれば、「義務感からのお参り意識」も払拭できる。
【００１７】
本考案の他の特徴として、扉３の手前にはお供えができるスペース１０が設けられていることが挙げられる。
扉３の外側のスペース１０に、故人の好物やお花などを供えることができ、参拝を終えて帰るときに、お供えをそのままにしておくことができる。
従来の多くの納骨壇は、扉の外側にお供えのためのスペースがないので、扉の内側にお供えを置いて帰る参拝者が多いといわれている。参拝者は帰るときに扉を閉めるので、お供えが腐って悪臭を発生させるまではお供えがあることがわからない。そのため、管理運営者側は、毎日のように各扉を開けてお供えの有無を点検しなくてはならない。
しかし、本考案は図２の納骨庫２Ｂのように扉の外側にお供えがあるので、納骨壇を清潔に保つことが容易である。
【００１８】
参拝者は帰るとき、電源スイッチ７５をオフにし、表示画面７を消す。このように、通常参拝者の動作は電源スイッチ７をＯＮにし、お供えをあげ、祈り、帰る時に電源スイッチ７をＯＦＦにする。つまり、記憶媒体の変更や骨壷の入れ替えなどがない限り、扉３の開閉を行う必要はない。したがって、扉３の開閉の管理などの手間は非常に少なく、参拝者が訪れるたびに職員が立ち会う場面は殆んどないので管理運営者側の負担が少ない。
【００１９】
以上、本考案の実施の形態について説明したが、これは一例にすぎない。
上記の実施形態では画像表示器としてデジタルフォトフレームを使用しているが、今後デジタルフォトフレームと同様にパソコンなどの制御によらず独自に動作可能な機器が市販されるようになれば、その機器を使用してもかまわない。
画像を表示するだけでなく、各扉にスピーカーを備え、故人が好きだった音楽などを流してもよい。
【産業上の利用可能性】
【００２０】
地価の高騰、交通の便のよい墓地に空きがないなどの理由で墓を建立できない人々のニーズに応えるために、寺院が納骨設備を設けることが多くなってきている。参拝者が故人と向き合っていると実感でき、かつ、自由にお供えもできる本考案の納骨壇は、納骨設備を設ける寺院などからの需要が見込まれると期待できる。
【符号の説明】
【００２１】
１：納骨壇、２：納骨庫，３：扉，４：仕切板．５：棚板．６：画像表示器．
７：電源スイッチ．８：名札入れ，９：表示画面．
１０：お供えのためのスペース．１１：遺骨収納容器を安置するスペース
【図１】
0003163123.tif 000003
【図２】
0003163123.tif 000004
【図３】
0003163123.tif 000005